(57)【要約】      （修正有）【課題】環境条件の変化に合わせて利用者の心理状態に大きな影響を与えることができる乗客コンベアの手摺ベルト及び乗客コンベアを提供する。【解決手段】乗客コンベアの手摺ベルト１４は、欄干１０の周縁部を移動するベルト体３８と、前記ベルト体３８の外面に設けられたカバー５０とを備える。前記カバー５０の表面にはサーモクロミック材料を含む塗料が塗布されており、制御部によってヒータを加熱して前記カバー５０の温度を調整すると前記カバー５０はその温度に応じた色になり、前記カバー５０の表面全体が変色する。【選択図】図２
2017001796.tif 000002
【特許請求の範囲】
【請求項１】
欄干の周縁部を移動するベルト体と、前記ベルト体の外面に設けられたカバーとを備え、前記カバーの表面全体が変色可能である、乗客コンベアの手摺ベルト。
【請求項２】
前記カバーが、サーモクロミック材料を含み、温度変化により変色する、請求項１に記載の乗客コンベアの手摺ベルト。
【請求項３】
前記カバーが、フォトクロミック材料を含み、照射される光の変化により変色する、請求項１に記載の乗客コンベアの手摺ベルト。
【請求項４】
前記カバーが接着剤で前記ベルト体に接着されている、請求項１〜３のいずれか１項に記載の乗客コンベアの手摺ベルト。
【請求項５】
循環移動する搭乗部と、その幅方向両側に立接された欄干と、前記欄干の周縁部を前記搭乗部の移動と同期して循環移動する請求項１〜４のいずれか１項に記載の手摺ベルトと、を備える乗客コンベア。
【請求項６】
循環移動する搭乗部と、その幅方向両側に立接された欄干と、前記欄干の周縁部を前記搭乗部の移動と同期して循環移動する請求項２に記載の手摺ベルトと、前記手摺ベルトに温度を伝える伝熱部と、前記伝熱部を制御する制御部とを備える乗客コンベア。
【請求項７】
外気温を測定する測温部を備え、前記制御部は前記測温部が測定した外気温に基づき前記伝熱部を制御する、請求項６に記載の乗客コンベア。
【請求項８】
前記ベルト体が一定距離移動する毎に、前記制御部が前記伝熱部の温度を変更する、請求項６又は７に記載の乗客コンベア。
【請求項９】
前記欄干の下部がスカート部に覆われ、前記伝熱部がスカート部内に設けられている、請求項６〜８のいずれか１項に記載の乗客コンベア。
【請求項１０】
循環移動する搭乗部と、その幅方向両側に立接された欄干と、前記欄干の周縁部を前記搭乗部の移動と同期して循環移動する請求項３に記載の手摺ベルトと、前記手摺ベルトに光を照射する照射部と、前記照射部を制御する制御部とを備える乗客コンベア。
【発明の詳細な説明】
【技術分野】
【０００１】
本発明の実施形態は、乗客コンベアの手摺ベルト及び乗客コンベアに関する。
【背景技術】
【０００２】
乗客コンベアの一般的な手摺ベルトの表面は単色のゴムからなり、変色させることはできない。
【０００３】
これに対し、利用者に情報を示す目的で、手摺ベルトの表面の一部を変色させることにより記号や文字等を表示することが提案されている（特許文献１参照）。例えば、利用者に乗客コンベアの移動方向を示す目的で、手摺ベルトの表面を部分的に変色させて矢印を表示する。
【先行技術文献】
【特許文献】
【０００４】
【特許文献１】特開２０１４−２３７５１３号公報
【発明の概要】
【発明が解決しようとする課題】
【０００５】
ところで、色は人の心理状態に影響を与えることが知られている。しかし、手摺ベルトの表面が単色のゴムからなる場合、その手摺ベルトが利用者の心理状態に与える影響は常に同じである。そしてその場合、手摺ベルトは、環境条件（乗客コンベアが設置されている場所又はその周辺において変化しうる各種条件のことで、例えば季節、時間帯、気温、乗客コンベアが設置されている施設で行われるイベントの種類等）の変化に合わせて、利用者の心理状態がその環境条件に合った状態になるよう影響を与えることができない。また、手摺ベルトの表面の一部が変色するだけでは、変色する部分の面積が小さいために、利用者の心理状態に大きい影響を与えることは困難である。
【０００６】
そこで本発明は、環境条件の変化に合わせて利用者の心理状態に大きな影響を与えることができる乗客コンベアの手摺ベルト及び乗客コンベアを提供することを課題とする。
【課題を解決するための手段】
【０００７】
実施形態の乗客コンベアの手摺ベルトは、欄干の周縁部を移動するベルト体と、前記ベルト体の外面に設けられたカバーとを備え、前記カバーの表面全体が変色可能である。
【図面の簡単な説明】
【０００８】
【図１】実施形態のエスカレータ１の断面図。
【図２】レール４０及び手摺ベルト１４の断面図。
【図３】変更例のエスカレータ１０１の断面図。
【図４】変更例のエスカレータ２０１の断面図。
【発明を実施するための形態】
【０００９】
乗客コンベアとしてエスカレータや動く歩道等が挙げられるが、以下の実施形態ではエスカレータを例にして説明する。
【００１０】
図１は本実施形態に係るエスカレータ１の断面図である。トラス２０が建物の上階側と下階側に架設されている。トラス２０の上階側の機械室２５と下階側の機械室２６の内部には、それぞれ踏段駆動スプロケット２１、２２が配置されている。踏段駆動スプロケット２１、２２には、無端状の踏段駆動チェーン２３が巻き掛けられている。踏段駆動スプロケット２１は、モータや減速器を有する駆動装置２４に連結され、駆動装置２４の駆動により回転する。この回転により踏段駆動チェーン２３及びもう一方の踏段駆動スプロケット２２が駆動する。踏段駆動チェーン２３には搭乗部としての踏段２が等間隔に隙間無く連結されている。踏段駆動チェーン２３が駆動することにより、これに連結された踏段２が図示しないガイドレールに沿って上階側と下階側の間を循環移動する。機械室２５の内部には、エスカレータ１の運転を制御する制御部２７が設けられている。
【００１１】
エスカレータ１の幅方向両側には、上階から下階にかけて、欄干１０が立設されている。トラス２０の内部には、手摺ベルト駆動スプロケット１２が設けられている。踏段駆動スプロケット２１と手摺ベルト駆動スプロケット１２に無端状の手摺ベルト駆動チェーン１３が巻き掛けられている。また、欄干１０の周縁部と手摺ベルト駆動スプロケット１２に手摺ベルト１４が掛けられている。踏段駆動スプロケット２１が回転すると、手摺ベルト駆動チェーン１３及び手摺ベルト駆動スプロケット１２が駆動し、手摺ベルト１４が欄干１０の周縁部に沿って上階側と下階側の間を循環移動する。手摺ベルト１４は踏段２の移動と同期して移動する。欄干１０の下部は、上階から下階に亘って設けられたスカート部１１に覆われている。スカート部１１の上階側と下階側にはそれぞれインレット部３が形成されている。手摺ベルト１４は、インレット部３の内側を通過して、スカート部１１の内部に入ったり、スカート部１１の外部へ出たりする。そのためインレット部３の形状は手摺ベルト１４の断面形状に合わせた形状となっている。
【００１２】
スカート部１１の内部には伝熱部としてのヒータ１５が設けられている。ヒータ１５は、手摺ベルト１４に近接しており、手摺ベルト１４を加熱することができる。ヒータ１５の代わりに、又はヒータ１５と共に、手摺ベルト１４を冷却することができるクーラが設けられていても良い。前記制御部２７は、ヒータ１５を加熱しその温度を調整することができ、これにより手摺ベルト１４の温度を調整することができる。クーラが設けられている場合は、制御部２７は、クーラの温度を調整することもでき、これにより手摺ベルト１４の温度を調整することができる。前記制御部２７とは別に、ヒータ１５の温度を調整する制御部が設けられていても良い。
【００１３】
図２には手摺ベルト１４の幅方向の断面構造が示されている。手摺ベルト１４はベルト体３８とカバー５０とを備える。ベルト体３８は、内側の補強層３０と、その外側の化粧ゴム層３５とを備える。補強層３０は、積層された複数枚の帆布３１と、手摺ベルト１４の移動方向に伸びるスチール等のコード３２とを備える。補強層３０と化粧ゴム層３５とは、左右両側の部分が曲げられ、断面が下に開口するＣ字形になるように成形されている。つまりベルト体３８の断面は下に開口するＣ字形になっている。一方欄干１０の上部にはレール４０が固定されている。レール４０は、欄干１０の両面側で上下方向に伸びる不動部としての手摺デッキ４１と、手摺デッキ４１の下端部よりも上方において手摺デッキ４１よりも左右に突出した突出部４２を有する。ベルト体３８は、レール４０の左右の突出部４２を、上方、側方、下方より包んで、レール４０から抜けないようにこれに取り付けられている。このとき、手摺デッキ４１は、手摺ベルト１４の下への開口部分から下方へ出ている。なお、以上のレール４０及びベルト体３８の断面構造は欄干１０の上側におけるものだが、欄干１０の下側においては、レール４０及びベルト体３８の断面構造はこれと上下反対となっている。
【００１４】
カバー５０はベルト体３８の外面すなわちレール４０への取り付け状態において外部へ露出する面を覆っている。またカバー５０はベルト体３８の移動方向１周に亘って設けられている。カバー５０は接着剤でベルト体３８に接着されていることが望ましい。カバー５０の材料は限定されないが例えば樹脂からなる。カバー５０の表面には、サーモクロミック材料を含む塗料が塗布されている。ただしカバー５０の材料である樹脂自体にサーモクロミック材料が含まれていても良い。
【００１５】
サーモクロミック材料は温度変化に伴い可逆的に変色する材料で、様々なものが存在する。サーモクロミック材料を変色のメカニズム別に例示すると、温度変化による分子構造の変化が原因で色が変わるもの、温度変化による相転移が原因で色が変わるもの、温度変化による分子間相互作用の変化が原因で色が変わるもの、等が挙げられる。本実施形態において使用されるサーモクロミック材料はいずれのものであっても良い。またサーモクロミック材料には、温度により透明になったり発色したりするものや、温度により発色濃度が変化するものも含まれる。よって「変色」には、透明と発色との間で変化することや、発色濃度が変化することも含まれるものとする。
【００１６】
以上の構造のエスカレータ１において、制御部２７は、ヒータ１５を加熱してその温度を調整する。すると、ヒータ１５の熱が手摺ベルト１４のカバー５０に伝わり、カバー５０の温度がヒータ１５の温度と略等しくなる。カバー５０には上記のようにサーモクロミック材料が塗布されているため、カバー５０はその温度に応じた色になる。このようにして制御部２７はカバー５０の色を制御することができる。
【００１７】
例えば、エスカレータ１がデパートに設置されており、カバー５０に塗布されるサーモクロミック材料が、常温で黄、高温で赤に発色するものであるとする。そして、制御部２７は、通常はヒータ１５を加熱せずカバー５０全体を黄にしておくが、セール期間中になるとヒータ１５を加熱してカバー５０全体を赤にする。赤は購買意欲を起こさせる色であるため、手摺ベルト１４のカバー５０が赤になることにより、それを見た客が多くの商品を購入することが期待できる。
【００１８】
また、ベルト体３８の表面の色が赤であり、カバー５０が透明の樹脂フィルムにサーモクロミック材料が塗布されたものであるとする。そしてこのサーモクロミック材料が常温で黄、高温で透明になるものであるとする。そして、制御部２７は、通常はヒータ１５を加熱せずカバー５０全体を黄にしておくが、セール期間中になるとヒータ１５を加熱してカバー５０全体を透明にし、ベルト体３８の表面の赤が見えるようにする。制御部２７はこのようにして客に購買意欲を起こさせることもできる。
【００１９】
また、エスカレータ１が屋外に設置されており、手摺ベルト１４のカバー５０に塗布されるサーモクロミック材料が、低温側の温度で赤、高温側の温度で青に発色するものであるとする。そして、制御部２７は、冬にはヒータ１５を低温側の温度にしてカバー５０全体を赤にし、夏にはヒータ１５を高温側の温度にしてカバー５０全体を青にする。赤は暖かさを、青は涼しさを感じさせる色であるため、手摺ベルト１４を見た利用者が、冬に暖かさを、夏に涼しさを感じて、快適にエスカレータ１を利用することができる。
【００２０】
なお、季節に応じたカバー５０の変色のさせ方として、制御部２７がカバー５０を季節のイメージに合う色にする方法もある。季節のイメージに合う色としては、例えば、春のピンク、夏の緑、秋の茶、冬の白が挙げられる。
【００２１】
以上のように、エスカレータ１の手摺ベルト１４及びエスカレータ１は、手摺ベルト１４の表面を変色させることにより、環境条件の変化に合わせて、利用者の心理状態がその環境条件に合う状態になるように、利用者に対して影響を与えることができる。ここで、手摺ベルト１４は、その表面全体が変色するため、利用者の心理状態に大きい影響を与えることができる。また、手摺ベルト１４はベルト体３８とその外面を覆うカバー５０とを備え、カバー５０の表面が変色するため、ベルト体のみからなる従来の手摺ベルトに本実施形態のカバー５０を設けることにより、容易に本実施形態の手摺ベルト１４とすることができる。
【００２２】
変更例のエスカレータ１０１を図３に示す。なお図３において、上記実施形態のエスカレータ１と同じ部分には、図１と同じ符号が付してある。変更例のエスカレータ１０１には外気温を測定する測温部１０６が設けられている。測温部１０６が設けられる場所は限定されないが、例えばスカート部１１の外面側の場所とする。測温部１０６としては、熱電対やサーミスタ等、様々な物が利用可能である。測温部１０６と制御部２７とは電気的に接続されているため、制御部２７は外気温を認識できる。制御部２７は測温部１０６が測定した外気温に基づき手摺ベルト１４の色を制御する。例えば、制御部２７は、外気温が高い日と低い日とでヒータ１５の温度を変え、手摺ベルト１４の色を外気温が高い日には青、外気温が低い日には赤にする。すると手摺ベルト１４を見た利用者が、外気温が高い日に涼しさを、外気温が低い日に暖かさを感じて、快適にエスカレータ１０１を利用することができる。また、外気温は時間帯によって変化するため、制御部２７が測温部１０６が測定した外気温から時間帯を判断し、時間帯に応じて手摺ベルト１４を変色させても良い。
【００２３】
また、制御部２７に記憶部１０５が接続され、測温部１０６で測定された外気温のデータが記憶部１０５に記憶されるように構成されていても良い。その場合、制御部２７は、過去数日分の外気温のデータに基づき現在の季節を判断し、手摺ベルト１４を季節に応じた色に変色させる。
【００２４】
また、記憶部１０５に月日、曜日、施設の予定等を含むカレンダーが記憶されていても良い。その場合、制御部２７は、記憶部１０５のカレンダーに基づき、季節、曜日、施設の予定等に合わせて、手摺ベルト１４を変色させる。
【００２５】
また、制御部２７は、手摺ベルト１４全体を１色にするのではなく、手摺ベルト１４をその移動方向の一定距離毎に異なる色にしても良い。例えば、手摺ベルト１４のカバー５０の表面に温度により赤、青、黄に変化するサーモクロミック材料が塗布されているものとする。そして制御部２７は、手摺ベルト１４が一定距離移動する毎に、ヒータ１５の温度を変更させる。すると手摺ベルト１４は、移動方向の一定距離毎に、赤、青、黄に色分けされる。これにより利用者は華やかさを感じることができる。この場合において、制御部２７は、手摺ベルト１４の移動距離を検出手段で直接検出しても良いし、タイマにより手摺ベルト１４の移動開始からの経過時間を測定し、そこから移動距離を推定しても良い。
【００２６】
また、カバー５０に塗布されるサーモクロミック材料が、常温の温度帯例えば摂氏０〜３０度の範囲内で変色するものであっても良い。この場合、ヒータ１５が設けられていなくても、外気温の変化に伴い手摺ベルト１４は自然に変色する。
【００２７】
また、サーモクロミック材料の代わりに、クロミズム（可逆的変色現象）を示す様々な材料が利用可能である。例えば図４のエスカレータ２０１は、手摺ベルト２１４のカバー５０の表面にフォトクロミック材料が塗布されたものであり、照射される光の変化で手摺ベルト２１４が変色するものである。例えば、カバー５０に塗布されるフォトクロミック材料が光の波長で変色するものであり、上記実施形態におけるヒータ１５の代わりに、手摺ベルト２１４に対して複数の波長の光（光には可視光だけでなく紫外線や赤外線も含まれる）を照射できる照射部２１５が設けられているとする。この場合制御部２７は照射部２１５から照射される光の波長を制御することにより手摺ベルト２１４を変色させる。また、エスカレータ２０１が屋外に設置されており、カバー５０に塗布されるフォトクロミック材料が紫外線の強さで変色するものであっても良い。その場合、照射部２１５が設けられていなくても、紫外線の強さの変化に伴い手摺ベルト２１４は自然に変色する。
【００２８】
以上の実施形態は例示であり、発明の範囲はこれに限定されない。以上の実施形態に対して、発明の要旨を逸脱しない範囲で、種々の省略、置換、変更を行うことができる。以上の実施形態やその変形は、特許請求の範囲に記載された発明及びその均等の範囲に含まれる。
【符号の説明】
【００２９】
１…エスカレータ、２…踏段、３…インレット部、１０…欄干、１１…スカート部、１２…手摺ベルト駆動スプロケット、１３…手摺ベルト駆動チェーン、１４…手摺ベルト、１５…ヒータ、２０…トラス、２１…踏段駆動スプロケット、２２…踏段駆動スプロケット、２３…踏段駆動チェーン、２４…駆動装置、２５…機械室、２６…機械室、２７…制御部、３０…補強層、３１…帆布、３２…コード、３５…化粧ゴム層、３８…ベルト体、４０…レール、４１…手摺デッキ、４２…突出部、５０…カバー、１０１…エスカレータ、１０５…記憶部、１０６…測温部、２０１…エスカレータ、２１４…手摺ベルト、２１５…照射部
【図１】
2017001796.tif 000003
【図２】
2017001796.tif 000004
【図３】
2017001796.tif 000005
【図４】
2017001796.tif 000006